(57)【要約】【課題】  取り付けが容易で、なおかつ、取り付け強度を十分確保しながら様々なデザインが設計可能な階段の踏板固定構造を提供する。【解決手段】  踏板１の端部を取付金具２を介して桁３に固定する階段の踏板固定構造において、取付金具２が板状で水平な水平片４と板状で垂直な垂直片５とからなる断面略Ｌ字型であって、桁３の側面６に凹部７を設け、取付金具２の垂直片５を同凹部７に嵌合し、水平片４に踏板１を上載し、更に、取付金具２の垂直片５及び桁３の凹部７を、互いを嵌合したときに、嵌合状態で回動しない形状としていることを特徴とする階段の踏板固定構造としている。【選択図】図１
2006322304.tif 000002
【特許請求の範囲】
【請求項１】
踏板の端部を取付金具を介して桁に固定する階段の踏板固定構造において、取付金具が板状で水平な水平片と板状で垂直な垂直片とからなる断面略Ｌ字型であって、桁の側面に凹部を設けて、取付金具の垂直片を同凹部に嵌合し、水平片に踏板を上載したことを特徴とする階段の踏板固定構造。
【請求項２】
取付金具の垂直片及び桁の凹部を、互いを嵌合したときに、嵌合状態で相互に回動しない形状としたことを特徴とする請求項１記載の階段の踏板固定構造。
【請求項３】
凹部が桁の前方に開口しており、取付金具の垂直片を凹部の前方から挿入して嵌合したことを特徴とする請求項１又は２記載の階段の踏板固定構造。
【請求項４】
凹部が桁の上方に開口しており、取付金具の垂直片を凹部の上方から挿入して嵌合したことを特徴とする請求項１又は２記載の階段の踏板固定構造。
【発明の詳細な説明】
【技術分野】
【０００１】
本願発明は、踏板の端部を取付金具を介して桁に固定する階段の踏板固定構造に関する。
【背景技術】
【０００２】
従来から、桁に踏板を固定した階段においては、桁及び踏板にそれぞれ嵌合用凹部を設け、踏板を桁に嵌合することで固定した側桁階段が知られている。この階段においては、桁及び踏板に嵌合用凹部を加工するには熟練した技術が必要であり、又、桁間の距離に合わせて踏板を個別に加工する必要があった。それに加え、桁に嵌合用凹部を設けなくてはならないため、おのずと桁の幅が大きくなってしまう。仮に嵌合用凹部を浅く設けて細い桁の側桁階段を作ったとしても、取り付け強度に問題が残る。従って、設計者が新しい側桁階段のデザイン、例えば細い桁の側桁階段など、を考える上での障害となっていた。
【０００３】
一方、側桁階段としては、実開平６−５１３５６号公報には、踏板及び桁に嵌合用凹部を設けることなく、踏板を桁に固定するための略Ｌ字の支持体を有する階段用支持具を用いてビスで固定することが開示されている。この階段用支持具を用いると、容易に踏板を桁に固定できるものの、踏板にかかる荷重を支えるのは実質的にはビスだけであるために、取り付け強度には改善の余地があった。又、この階段用支持具を用いたときは、個々の踏板を桁に取り付けるため、踏板の固定時には、常に踏板が水平かどうかを確認して取り付けなくてはならなかった。
【特許文献１】実開平６−５１３５６号公報
【発明の開示】
【発明が解決しようとする課題】
【０００４】
本願発明は、取り付けが容易で、なおかつ、取り付け強度を十分確保しながら様々なデザインが設計可能な階段の踏板固定構造を提供することである。
【課題を解決するための手段】
【０００５】
上記課題を解決するために、本願発明は、踏板の端部を取付金具を介して桁に固定する階段の踏板固定構造において、取付金具が板状で水平な水平片と板状で垂直な垂直片とからなる断面略Ｌ字型であって、桁の側面に凹部を設けて、取付金具の垂直片を同凹部に嵌合し、水平片に踏板を上載したことを特徴とする階段の踏板固定構造である。
【発明の効果】
【０００６】
本願発明の階段の踏板固定構造においては、桁の側面に取付金具の垂直片を嵌合する凹部を設けているために、取付金具を凹部に嵌合するだけで容易に取り付けることができ、凹部への垂直片の嵌合により取り付け強度も強くなり、それに加え、桁の上方端面に嵌合用凹部を設ける必要がないので、桁の幅を小さくすることもでき、デザイン設計の幅が広がる。
【発明を実施するための最良の形態】
【０００７】
図１又は図２は、本願の請求項１又は請求項２に対応した第一の実施形態である階段の踏板固定構造を示している。この実施形態の階段の踏板固定構造は、図１及び図２に示す如く、踏板１の端部を取付金具２を介して桁３に固定する階段の踏板固定構造において、取付金具２が板状で水平な水平片４と板状で垂直な垂直片５とからなる断面略Ｌ字型であって、桁３の側面６に凹部７を設けて、取付金具２の垂直片５を同凹部７に嵌合し、水平片４に踏板１を上載している。
【０００８】
又、取付金具２の垂直片５及び桁３の凹部７を、互いを嵌合したときに、嵌合状態で回動しない形状としている。
【０００９】
以下、この実施形態の階段の踏板固定構造を、より具体的詳細に説明する。
【００１０】
この実施形態の階段の踏板固定構造は、金属製の取付金具２と木製の桁３及び踏板１とを備えてなっている。取付金具２は、図１に示す如く、取付金具２が板状で水平な水平片４と板状で垂直な垂直片５とからなる断面略Ｌ字型であって、垂直片５は下に凸で斜辺が桁３の勾配に平行な略直角三角形であり、水平片４は略矩形である。垂直片５及び水平片４にはそれぞれ、桁３及び踏板１を固定するときのビス、ねじや釘などの取付具１０を設けるための取付孔９が設けられている。この取付孔９は、垂直片５には、桁３の勾配に平行方向に等間隔に複数個設けられており、これが複数段形成されている。又、取付孔９は、水平片４にも踏板１の長さ方向に沿って等間隔に複数個設けられており、これが複数段ある。又、水平片４は垂直片５の前方に設けられており、水平片４の後方は、矩形の切り欠きが設けられたようになっている。
【００１１】
桁３の側面６には、桁３の上方に開口した凹部７が設けられており、取付金具２の垂直片５が嵌合される形状となっている。従ってこの場合、桁３の側面には断面略台形の凹部が設けられており、桁３の上端に沿った直線を上底とし、上底に平行で桁３の側面略中央を通る直線を下底とする台形となっている。もちろんこの場合、上底よりも下底のほうが長くなっている。従って、取付金具２の垂直片５及び桁３の凹部７を、互いを嵌合したときに、階段の昇降方向に回転しない形状となっている。又、この凹部７の厚みは、取付金具２の水平片４の厚みと略同じになるように設定されている。又、凹部７の設け方としては、桁３に凹部７をくり貫いて形成しても、凹部７の厚みを有する板材の端面を櫛歯状に加工して別の板材に貼り付けて形成してもよい。
【００１２】
この階段の踏板固定構造の施工方法を説明する。
【００１３】
凹部７を設けた桁３を階段の施工位置に設置する。その後、取付金具２の垂直片５を桁３の凹部７に嵌合し、垂直片５の取付孔９から桁３に対して取付具１０を用いて固定する。そして、水平片４に踏板１を上載し、水平片４の裏側から取付孔９を介して取付具１０で固定する。施工した後の階段は、図２（ａ）及び（ｂ）に示す如く、垂直片５が凹部７に嵌合され、桁３及び垂直片５の内面は面一となっている。又、垂直片５には桁３に嵌合された垂直片嵌合部５ａとそれよりも上方で嵌合されていない垂直片非嵌合部５ｂとがある。
【００１４】
従って、この実施形態の階段の踏板固定構造においては、桁３の側面６に取付金具２の垂直片５を嵌合する凹部７を設けて取付金具２の垂直片５を凹部７に嵌合しているため、取付金具２を容易に取り付けることができ、垂直片５が取付具１０だけでなく、垂直片５の端面と凹部７の端面とが当接されることで支持されているため、凹部７を設けていないときに比べて、取付強度が強くなる。又、取付金具２の垂直片５が桁３の凹部７に収まるため、見栄えよく仕上がる。
【００１５】
又、取付金具２の垂直片５及び桁３の凹部７を、互いを嵌合したときに、嵌合状態で互いに回動しない形状としているため、取付金具２の取り付け位置、つまり取付金具２の水平片４と垂直片５の位置が一義的に決まる。従って、桁３の凹部７を予め階段の勾配に合わせて形成しておけば、個々の桁３の水平を個別に調整しなくても、桁３が容易に水平に取り付けられる。
【００１６】
又、凹部７を桁３の上方に開口させているため、垂直片５の形状、特にその高さを自由に設定することができる。このとき、垂直片嵌合部５aが取り付け強度を保ちつつ、垂直片非嵌合部５ｂが踏板１の取り付け高さを調節している。又、垂直片非嵌合部５ｂを設けているため、垂直片５の形状によらず、水平片４の出方向の幅を自由に設定できる。従って、桁３の幅が細くても、水平片４や踏板１の出寸法、つまり階段昇降方向の幅を大きく設けることができ、昇降しやすい階段となる。
【００１７】
又、取付金具２の水平片４の後方に切り欠きを設けているため、垂直片嵌合部４aを大きく形成して取り付け強度を強固にしながらも、階段を設置したときに取付金具２が階段上方から見えることがない。
【００１８】
図３は、本願の請求項１〜３のすべてに対応した第二の実施形態である階段の踏板固定構造を示している。
【００１９】
この実施形態の階段の踏板固定構造は、図３に示す如く、凹部７が桁３の前方８に開口しており、取付金具２の垂直片５を凹部７の前方から挿入して嵌合している。
【００２０】
以下、この実施形態の階段の踏板固定構造を、より具体的詳細に説明する。この実施形態の階段の踏板固定構造は、図３に示す如く、垂直片５が、上下がそれぞれ略水平な二辺で形成された形状で、凹部７もそれにあわせて、上下が略水平な二辺からなる形状としている。この場合、垂直片５を下底が短い略台形としており、上底及び下底は略水平になっている。桁３の凹部７も、垂直片５の形状に合わせて、桁３の前方に開口８を有する略平行四辺形であり、水平な二辺と、桁３の上端に沿った直線及びそれに平行な直線とからなる平行四辺形である。
【００２１】
従って、この実施形態の階段の踏板固定構造においては、取付金具２の垂直片５を桁３の前方に設けた開口８から凹部７に挿入する（図３（ａ）矢印方向）ことで、取付金具２が凹部７に嵌合されるため、取り付けが非常に簡便である。これにより、予め踏板１の両端に取付金具２を固定しておき、その踏板１を桁３の前方から挿入して垂直片５を凹部７に嵌合し、踏板１を取り付けることも可能となる。
【００２２】
なお、この実施形態におけるその他の構成については、前述実施形態と同じであり、効果についても同様の効果を奏する。
【００２３】
図４〜６は、本願の請求項１、２及び４に対応した第三の実施形態である階段の踏板固定構造を示している。
【００２４】
この実施形態の階段の固定構造は、図４に示すように、凹部７が桁の上方に開口しており、取付金具２の垂直片５を凹部７の上方から挿入して嵌合している。
【００２５】
以下、この実施形態の階段の踏板固定構造を、より具体的詳細に説明する。この実施形態の階段の踏板固定構造は、図５に示す如く、垂直片５の形状は、底辺が短い台形となっており、その後端は略垂直になっている。又、垂直片５の前端は下方奥に向かって傾斜しているが、その傾斜は上方部分、すなわち垂直片非嵌合部５ｂ側よりも、下方部分、すなわち垂直片嵌合部５a側の方が急になっている。
【００２６】
又、この実施例においては、図４に示す如く、桁３の側面６の上方に、桁３に沿って断面略Ｌ字の凹溝１２を設け、その凹溝１２内に凹部７を設けている。そして、桁３に取付金具２の垂直片５を固定した上から、凹溝１２に対応した長尺形状の補助桁１１を嵌合している。なお、この補助桁１１は、一枚の板で形成しても、いくつかに分割して形成してもよい。
【００２７】
従って、この実施形態の階段の踏板固定構造においては、凹部７が桁の上方に開口しており、取付金具２の垂直片５を凹部７の上方から挿入して嵌合しているため、桁３の上方から取付金具２を挿入することで、階段の施工が容易に行える。これは、特に最上段と最下段の踏板１を施工するときに都合が良い。なぜなら、階段の最上段は上階の壁面が近接しており、取付金具２の垂直片５が後方に突出していると、上階の壁面に邪魔されて施工しづらく、又、施工自体ができない恐れもある。しかしながら、本実施形態においては、取付金具２の垂直片５を凹部７の上方から挿入できる形状であり、すなわち、垂直片５の後端が略垂直となっているため、上階の壁面に邪魔されることなく施工することが可能である。
【００２８】
又、階段の最下段の取り付けにおいては、踏板１の裏側のスペースが狭くなるため、作業しづらくなる。特に、取付金具２を桁３に取り付けた後、踏板１を固定することを考えると、最下段の水平片４の裏側から、取付具１０を取り付けるための工具、例えばドライバーなどを用いて作業するのは難しい。そこで、踏板１に取付金具２の水平片４を先に固定しておき、その後、上方に開口した桁３の凹部７に対して、上方から取付金具２の垂直片５を挿入する施工方法をとることになる。この方法であると、取付金具２を凹部７に挿入した後の作業は、取付金具２の垂直片５の側面から取付具１０を固定する作業であるため、踏板１の裏側の作業スペースが上下方向に小さくても、十分作業できる。従って、桁３の上方から取付金具２を挿入できる方が低姿勢での作業が減り、施工しやすい。
【００２９】
又、桁３の上方から取付金具２を挿入するため、桁３の前方から取付金具２を挿入するときに比べ、施工時に床などを傷つける可能性が減少する。それに加え、階段の使用時、取付金具２には常に上方向からの荷重がかかっているため、使用中に取付金具２が外れにくい。
【００３０】
又、桁３に沿って凹溝１２を設け、桁３に取付金具２の垂直片５を固定した上から、凹溝１２に対応した長尺形状の補助桁１１を嵌合しているため、取付金具2の垂直片嵌合部５ａが外から見えなくなり、見栄えよく仕上がる。又、垂直片５の前端の傾斜が、上方部分よりも下方部分が急になっているため、垂直片非嵌合部５ｂが外から目立ちにくくなる。従って、取付金具２全体が外から目立ちにくくなり、階段全体がすっきりと仕上がる。
【００３１】
なお、この実施形態におけるその他の構成については、第一の実施形態と同じであり、効果についても同様の効果を奏する。
【００３２】
なお、この凹部７及び凹溝１２は、桁３の内側もしくは外側のどちらに設けても良い。
【００３３】
なお、本願発明においては、垂直片５の形状は上記実施形態に限るものでなく、三角形や台形だけでなく、略矩形や多角形でもよく、又、突起や切り欠きを設けた円形などでもかまわない。
【００３４】
又、対向した一対の桁３に踏板１を掛け渡して取り付けなくてもよく、例えば踏板１の片側一方を本願発明の階段の踏板固定構造とし、片方を壁に凹部７を設けて挿入してもよい。又、凹部７を設ける位置も桁３の内側か外側かは問わない。例えば、階段を施工する位置の略中央に一つの桁３を配置し、その両側に凹部７を設けて２つの取付金具２を断面略Ｔ状になるように設け、水平片４に踏板１を上載することもできる。
【００３５】
又、踏板１にも水平片４が収まる凹部７を設け、水平片４を踏板１に嵌合させ、階段前方から取付金具２を見えにくくしてもよい。
【図面の簡単な説明】
【００３６】
【図１】本願発明の第一の実施形態である階段の踏板固定構造を示す分解斜視図。
【図２】同階段の踏板固定構造を示す（ａ）は斜視図、（ｂ）は断面図。
【図３】本願発明の第二の実施形態である階段の踏板固定構造を示す（ａ）は分解斜視図、（ｂ）は斜視図。
【図４】本願発明の第三の実施形態である階段の踏板固定構造を示す分解斜視図。
【図５】本願発明の第三の実施形態である階段の踏板固定構造を示す側面図。
【図６】本願発明の第三の実施形態である階段の踏板固定構造を示す斜視図。
【符号の説明】
【００３７】
１    踏板
２    取付金具
３    桁
４    水平片
５    垂直片
５ａ  垂直片嵌合部
５ｂ  垂直片非嵌合部
６    側面
７    凹部
８    開口
９    取付孔
10取付具
11補助桁
12凹溝
【図１】
2006322304.tif 000003
【図２】
2006322304.tif 000004
【図３】
2006322304.tif 000005
【図４】
2006322304.tif 000006
【図５】
2006322304.tif 000007
【図６】
2006322304.tif 000008